(57)【特許請求の範囲】
【請求項１】
相手の発呼者番号と相手の位置座標を受信する携帯電話装置に於いて、
発呼者番号と位置座標の両方に対応して位置の名称を登録する登録手段と、位置の名称を報知する報知手段と、相手の発呼者番号及び相手の位置座標を受信したときに、受信した発呼者番号及び位置座標の両方が、前記登録手段によって登録された発呼者番号及び位置座標と一致すれば、これに対応する位置の名称を報知させる制御手段を備えたことを特徴とする携帯電話装置。
【請求項２】
前記制御手段は、相手の発呼者番号と相手の位置座標を受信したとき、受信した位置座標が前記登録手段に登録される発呼者番号に対応した位置座標と所定内の誤差であれば、これに対応する位置の名称を報知させることを特徴とする請求項１に記載の携帯電話装置。
【請求項３】
位置座標に対応する住所を記憶する記憶手段と、位置情報を表示する表示手段とを備え、
表示手段の限られた表示領域に位置情報を表示するときに、前記制御手段は、前記登録手段に登録された位置の名称、前記記憶手段に記憶された住所、受信した位置座標の優先順位で位置情報を表示させることを特徴とする請求項２に記載の携帯電話装置。
【発明の詳細な説明】
【０００１】
【発明の属する技術分野】
本発明は、位置座標を受信可能な携帯電話装置に関する。
【０００２】
【従来の技術】
現在、ＧＰＳ（Ｇｌｏｂａｌ  Ｐｏｓｉｔｉｏｎｉｎｇ    Ｓｙｓｔｅｍ）測位手段を備えた携帯電話装置が基地局に現在位置を送信し、基地局を介して他の携帯電話装置が地図に受信した位置を重ねて表示するシステムが考えられた（特開平９−２４４７７３０号公報参照）。
【０００３】
【発明が解決しようとする課題】
しかしながら、地図データは多くの記憶容量を必要とし、簡略した地図では位置を把握しにくい。かといって、緯度経度のみの表示では使用者が現在位置を把握することが困難である。
【０００４】
【課題を解決するための手段】
本発明の携帯電話装置はかかる点に鑑みなされたもので、相手の発呼者番号と相手の位置座標を受信する携帯電話装置に於いて、発呼者番号と位置座標の両方に対応して位置の名称を登録する登録手段と、位置の名称を報知する報知手段と、相手の発呼者番号及び相手の位置座標を受信したときに、受信した発呼者番号及び位置座標の両方が、前記登録手段によって登録された発呼者番号及び位置座標と一致すれば、これに対応する位置の名称を報知させる制御手段を備えたことを特徴とする。
【０００５】
また、請求項１に記載の携帯電話装置であり、前記制御手段は、相手の発呼者番号と相手の位置座標を受信したとき、受信した位置座標が前記登録手段に登録される発呼者番号に対応した位置座標と所定内の誤差であれば、これに対応する位置の名称を報知させることを特徴とする。
【０００６】
また、請求項２記載の携帯電話装置であり、位置座標に対応する住所を記憶する記憶手段と、位置情報を表示する表示手段とを備え、表示手段の限られた表示領域に位置情報を表示するときに、前記制御手段は、前記登録手段に登録された位置の名称、前記記憶手段に記憶された住所、受信した位置座標の優先順位で位置情報を表示させることを特徴とする。
【０００８】
【発明の実施の形態】
本発明の実施例を図面に基づき説明する。図１は実施例の要部の構成を示すブロック図である。図２〜図４は外観を示す正面図であり、夫々、位置の表示が異なる。図２は登録された名称を表示し、図３は郵便番号や住所を表示し、図４は緯度経度を表示する。
【０００９】
図１に於いて、（１）は通信部であり、後述のベースバンド部（３）からの信号をアンテナ（２）を介して基地局へ発信したり、アンテナ（２）を介して基地局からの電波を受信したりする。
【００１０】
（３）はベースバンド部であり、ＣＤＭＡ処理回路（３１）と音声コーデック（３２）を有する。ＣＤＭＡ処理回路（３１）は符号分割多元接続、スクランブル、誤り制御、タイミング検出を行う。音声コーデック（３２）は音声を圧縮（符号化）・伸張（復号化）したり、アナログとディジタルの変換を行ったり、内部の増幅回路（図示せず）により受話音量やマイクロホンの感度を変更する。
【００１１】
（４）は受話部に設けられ、通話に使用されるスピーカであり、増幅回路（５）で増幅されたベースバンド部（３）の電気信号を音声に変換する。（６）は通話に使用されるマイクロホンであり、送話部に配設され、音声を電気信号に変換する。（７）は増幅回路であり、マイクロホン（６）の出力を増幅してベースバンド部（３）に出力する。
【００１２】
（８）は切替回路であり、３つの夫々の増幅回路（５）（７）とベースバンド部（３）との接続を後述の制御回路（９）の制御によりＯＮ／ＯＦＦする。尚、これらの増幅回路（５）（７）はゲインを固定しており、受話音量やキークリック音量やマイクロホンの感度を変更することはできない。受話音量やキークリック音量やマイクロホンの感度の変更は制御回路（９）の制御によりベースバンド部（３）の音声コーデック（３２）が行う。
【００１３】
（９）はマイクロプロセッサからなる制御回路であり、動作のプログラムを記憶したＲＯＭ（１０）に基づき各部を制御する。（１１）はＲＡＭであり、制御回路（９）の動作に必要な情報、例えば、電話番号と位置座標の両方に対応する位置の名称（図７参照）や、位置座標に対応する郵便番号と住所を記憶する。
【００１４】
（１２）は表示部であり、図２〜図４に示す如く、電話番号や位置等を表示する。（１３）は入力部であり、図２〜図４に示す如く、Ｆ１キー（１３１）、Ｆ２キー（１３２）、通話キー（１３３）、終話キー（１３４）、位置送キー（１３５）、テンキー（１３６）などを有する。Ｆ１キー（１３１）及びＦ２キー（１３２）は、夫々のキーの位置に対応して表示される表示部（１２）の文字の操作を行う。例えば、図２の状態では、Ｆ１キー（１３１）は位置登録の操作を行い、Ｆ２キー（１３２）は位置削除の操作を行う。
【００１５】
（１４）はＧＰＳ測位手段であり、ＧＰＳ衛星からの電波を受信して現在位置の座標を測定し、測定データを制御回路（９）に出力する。
【００１６】
次に、位置座標の送信システムについて説明する。送信側の携帯電話装置で、受信側の携帯電話装置の電話番号が指定された後、位置送キー（１３５）が操作されると、その制御回路（９）はＧＰＳ測位手段（１４）で検出された位置座標をベースバンド（３）、通信部（１）とアンテナ（２）を介して電話局（図示せず）に送信する。位置座標は１６進の緯度経度データである。尚、これに高度データを含んでもよい。電話局は受信側の携帯電話装置に送信側の携帯電話装置の電話番号（発呼者番号）と位置座標を送信し、これらを受信側の携帯電話装置が受信する。
【００１７】
尚、図５のタイムチャートに示す如く、呼出信号前に発呼者の位置座標を自動的に送信してもよい。発呼者の携帯電話装置で、被呼者の携帯電話装置の電話番号が指定された後、通話キー（１３３）が操作されると、その制御回路（９）は発呼と位置座標を電話局に送信する。電話局は被呼者の携帯電話装置に発呼者番号と位置座標と呼出信号を送信し、これらを被呼者の携帯電話装置が受信する。この場合は、被呼者はオフフックすることなく、即ち着信に応答することなく、発呼者の位置座標を知ることが可能である。また、被呼者は自己の位置座標と合わせて、双方の位置座標を知ることができる。
【００１８】
また、図示しないが、被呼者が着信に応答してオフフックした時に、被呼者の位置座標を電話局を介して発呼者に送信してもよい。これにより、発呼者も双方の位置座標を知ることができる。発呼者、被呼者の双方が互いの位置を知ることにより、その利用範囲が拡大して効果が大きくなる。
【００１９】
次に、受信した位置座標に対応する位置の名称の登録について説明する。図６は制御回路（９）の動作を示すフローチャートである。制御回路（９）は、電話番号と位置座標を受信すると（Ｓ１）、位置の表示処理を行う（Ｓ２）。位置の表示処理は図８のフローチャートに示しており、詳細な説明は後述する。位置の表示処理を行った後、鳴動により受信の報知を行う（Ｓ３）。尚、受信の報知はバイブレータやＬＥＤや音声で行ってもよい。そして、図２〜図４に示す如く、制御回路（９）は表示部（１２）に、Ｆ１キー（１３１）に対応させて、文字「位置登録」を表示させる（Ｓ４）。
【００２０】
ここで、Ｆ１キー（１３１）が操作されると、位置の名称の登録処理を行う。この登録処理は図７に示す如く、発呼者番号と位置座標の両方に対応して位置の名称を登録するものである。制御回路（９）は登録内容をＲＡＭ（１１）に記憶させる。例えば、図７に於いて、電話番号３と位置座標ｄａｔａ３−２を受信し、通話により、別荘からの電話であることを使用者が知る。そこで、「位置登録」が表示されている状態でＦ１キー（１３１）が操作され、名称として「別荘」が入力されると、電話番号３と位置座標ｄａｔａ３−２の両方に対応させて別荘をＲＡＭ（１１）に記憶させる。電話番号３と位置座標ｄａｔａ３−２の両方に対応させているために、図７に示す如く、１つの電話番号３について位置座標ｄａｔａ３−１の自宅と位置座標ｄａｔａ３−２の別荘の２つを登録することができる。即ち、一つの電話番号について複数の名称を登録することができる。
【００２１】
次に、図６のステップＳ２である、位置の表示処理を説明する。図８はこれを示すフローチャートである。電話番号と位置座標を受信した（Ｓ１）後、制御回路（９）は受信した電話番号と位置座標の両方に対応する位置の名称があれば、図２に示す如く、これを表示する（Ｓ２１のＹ，Ｓ２２のＹ，Ｓ２３）。ここで、ＧＰＳの測定誤差を考慮し、受信した位置座標とＲＡＭ（１１）に記憶される位置座標の差が所定距離内（例えば２０ｍ以内）であれば、制御回路（９）は一致とみなす（Ｓ２２）。
【００２２】
位置の名称を表示することができない場合（Ｓ２１のＮまたはＳ２２のＮ）、図３に示す如く、受信した位置座標に対応する郵便番号をＲＡＭ（１１）より検索して表示させる（Ｓ２４のＹ，Ｓ２５）。そして、受信した位置座標に対応する住所をＲＡＭ（１１）より検索して表示させる（Ｓ２６のＹ，Ｓ２７）。
【００２３】
郵便番号も表示することができない場合（Ｓ２４のＮ）、図４に示す如く、受信した位置座標の緯度経度を表示する。
【００２４】
【発明の効果】
本発明は、受信した電話番号と位置座標の両方に対応する位置の名称を登録し、これを表示させるために、地図表示と比較して僅かの記憶容量で位置を知らせることができる。また、使用者が登録するために、特定の人のみわかる名称を表示することができる。
【００２５】
本発明は受信した位置座標と登録した位置座標を所定の誤差を許容して比較するために、受信した位置座標に許容範囲内の誤差があってもよい。
【００２６】
本発明は、登録された位置の名称、記憶手段に記憶された住所、受信した位置座標の優先順位で位置情報を表示させるために、小さな表示領域を有効に使用することができる。
【００２７】
本発明は受信した位置情報に対応した郵便番号を表示するために、緯度経度と比較して位置を把握しやすい。
【図面の簡単な説明】
【図１】本発明の実施例の主要な構成を示すブロック図である。
【図２】位置の名称表示を示す正面図である。
【図３】郵便番号表示と住所表示を示す正面図である。
【図４】緯度経度表示を示す正面図である。
【図５】着信前に於ける位置情報の受信を示すタイムチャートである。
【図６】実施例の主要な動作を示すフローチャートである。
【図７】位置の名称の登録内容を示す図である。
【図８】図６の位置の表示処理を示すフローチャートである。
【符号の説明】
９    制御回路
１１    ＲＡＭ
１２    表示部
１３    入力部
１３１  Ｆ１キー
１３２  Ｆ２キー
１３３  通話キー
１３４  終話キー
１３６  テンキー
【図１】
0003619766.tif 000002
【図２】
0003619766.tif 000003
【図３】
0003619766.tif 000004
【図４】
0003619766.tif 000005
【図５】
0003619766.tif 000006
【図６】
0003619766.tif 000007
【図７】
0003619766.tif 000008
【図８】
0003619766.tif 000009